【手続補正書】
【提出日】平成27年4月21日(2015.4.21)
【手続補正１】
【補正対象書類名】特許請求の範囲
【補正対象項目名】全文
【補正方法】変更
【補正の内容】
【特許請求の範囲】
【請求項１】
トナー像を形成する画像形成部と、
装置本体に着脱自在に設けられ、前記画像形成部から排出されるトナーを回収する回収容器と、
装置本体に移動可能に設けられ、前記画像形成部から排出されたトナーを前記回収容器に搬送する搬送管であって、第１位置と、前記第１位置とは異なる第２位置と、に回動可能である搬送管と、
前記回収容器に対向する装置本体側面から取り外し可能に設けられた部材であって、前記搬送管の回動中心軸線方向からみたときに、前記第１位置に位置する前記搬送管と重なる位置に設けられるとともに、前記第２位置に位置する前記搬送管とは重ならない位置に設けられている部材と、
前記装置本体に設けられ、前記搬送管を前記第１位置と、前記第２位置と、に位置決めする位置決め部と、
を備えることを特徴とする画像形成装置。
【請求項２】
前記第２位置は、装置本体のメンテナンス時に前記搬送管を固定させる位置であることを特徴とする請求項１に記載の画像形成装置。
【請求項３】
前記搬送管は、前記第２位置の方が前記第１位置よりも前記搬送管の搬送方向下流側の一端の位置が高いことを特徴とする請求項１又は請求項２に記載の画像形成装置。
【請求項４】
前記搬送管では、前記第１位置は、前記搬送管の搬送方向下流側の一端が、搬送方向上流側の他端側に対して低い位置であり、前記第２位置は、少なくとも前記一端側が前記他端側と同じ高さ以上となる位置を含むことを特徴とする請求項１乃至請求項３のいずれか１項に記載の画像形成装置。
【請求項５】
前記搬送管は、装置本体が出荷されるときに装置本体に稼働される装置が装着可能な位置であって前記第２位置よりも前記第１位置から退避した第３位置に、移動可能に設けられ、
前記位置決め部は、前記搬送管を前記第３位置に位置決めすることを特徴とする請求項１乃至請求項４のいずれか１項に記載の画像形成装置。
【請求項６】
前記回収容器は、装着位置にあるときに、前記画像形成部から現像剤を回収可能であり、
前記搬送管が前記第１位置にあるときに前記回数容器が装着位置に装着されたか否かを検知可能なセンサと、
前記センサの検知結果に基づいて画像形成動作の可否を制御する制御部と、
を備えることを特徴とする請求項１乃至請求項５のいずれか１項に記載の画像形成装置。
【請求項７】
前記搬送管は、前記第１位置では、鉛直方向に延設されるように配置されていることを特徴とする請求項１乃至請求項６のいずれか１項に記載の画像形成装置。
【請求項８】
前記搬送管は、
装置本体に固定された第１搬送管と、
前記第１搬送管と直交するように設けられ、前記第１搬送管に対して回動可能に接続する第２搬送管と、
前記第１搬送管に設けられ、駆動されることでトナーを搬送する搬送部材と、
を有することを特徴とする請求項１乃至請求項７のいずれか１項に記載の画像形成装置。
【手続補正２】
【補正対象書類名】明細書
【補正対象項目名】０００７
【補正方法】変更
【補正の内容】
【０００７】
上記課題を解決するために、本発明の画像形成装置は、トナー像を形成する画像形成部と、装置本体に着脱自在に設けられ、前記画像形成部から排出されるトナーを回収する回収容器と、装置本体に移動可能に設けられ、前記画像形成部から排出されたトナーを前記回収容器に搬送する搬送管であって、第１位置と、前記第１位置とは異なる第２位置と、に回動可能である搬送管と、前記回収容器に対向する装置本体側面から取り外し可能に設けられた部材であって、前記搬送管の回動中心軸線方向からみたときに、前記第１位置に位置する前記搬送管と重なる位置に設けられるとともに、前記第２位置に位置する前記搬送管とは重ならない位置に設けられている部材と、前記装置本体に設けられ、前記搬送管を前記第１位置と、前記第２位置と、に位置決めする位置決め部と、を備えることを特徴とする。
【手続補正３】
【補正対象書類名】明細書
【補正対象項目名】００１８
【補正方法】変更
【補正の内容】
【００１８】
図２は、画像形成装置１００の内部に配置されるトナーの搬送機構の構成を示す断面図である。図２に示されるように、ＹＭＣＫの各々の感光体ドラム１１に対向してクリーニング装置１５（１５Ｙ、１５Ｍ、１５Ｃ、１５Ｋ）が配置される。また、中間転写ベルト３１に対向してクリーニング装置３６が配置される。そして、クリーニング装置１５及びクリーニング装置３６で回収されたトナーは、搬送管６０等を介して、パイプ４２へと移動する。『第１搬送経路』であるパイプ４２（第１搬送管）（搬送管）は、装置本体１００Ａの内部で水平方向に延びてトナーを搬送する部材である。パイプ４２へと移動したトナーは、水平姿勢で配置されるパイプ４２の内部に配置される搬送スクリュー４１（搬送部材）によって左方へと搬送される。
【手続補正４】
【補正対象書類名】明細書
【補正対象項目名】００１９
【補正方法】変更
【補正の内容】
【００１９】
そして、パイプ４２の左端部には、鉛直方向に延びる鉛直姿勢で配置されるパイプ４３が回転自在に取付けられる。『第２搬送経路』であるパイプ４３（第２搬送管）（搬送管）は、パイプ４２の一端部にパイプ４２の軸方向と直交する方向に延びてパイプ４２の軸を中心に回転自在でトナーを搬送する部材である。そして、パイプ４３の下端部には、シャッタ４４が取り付けられる。シャッタ４４は、回収容器４０が取り外されるとパイプ４３の開口４３ｋを閉じ、回収容器４０が取付けられるとパイプ４３の開口４３ｋを開く部材である（図３、図４参照）。その下方に配置された回収容器４０は、装置本体１００Ａに着脱自在で、クリーニング装置１５やクリーニング装置３６が回収したトナーを回収する容器である。
【手続補正５】
【補正対象書類名】明細書
【補正対象項目名】００３２
【補正方法】変更
【補正の内容】
【００３２】
図６は、パイプ４３が鉛直姿勢で配置された状態を示す側面図である。『複数の固定部』（複数の位置決め部）である第１〜第３固定穴５５、５６、５７、及び、ビス９０は、パイプ４３を複数の回転角度で固定する。図６に示されるように、固定部材５４には、第１固定穴５５、第２固定穴５６、第３固定穴５７が形成されている。第１固定穴５５、第２固定穴５６、第３固定穴５７のいずれかには、ビス９０が取付けられる。パイプ４３には、凹部４３ｍが形成されている。
【手続補正６】
【補正対象書類名】明細書
【補正対象項目名】００３３
【補正方法】変更
【補正の内容】
【００３３】
パイプ４３が鉛直姿勢で配置される場合（第１位置の一例）には、凹部４３ｍの位置が第１固定穴５５の位置に合わせられてビス９０が第１固定穴５５に固定される。また、パイプ４３が傾斜姿勢で配置される場合（第２位置の一例）には、凹部４３ｍの位置が第２固定穴５６に合わせられてビス９０が第２固定穴５６に固定される。さらに、パイプ４３が水平姿勢で配置される場合（第３位置の一例）（第２位置の一例）には、凹部４３ｍの位置が第３固定穴５７に合わせられてビス９０が第３固定穴５７に固定される。そして、ビス９０が取外されると、パイプ４３がパイプ４２を中心として回転可能となる。
【手続補正７】
【補正対象書類名】明細書
【補正対象項目名】００３５
【補正方法】変更
【補正の内容】
【００３５】
図８は、パイプ４３が約４５度の傾斜姿勢で配置された状態を示す側面図である。図８に示されるように、作業者は、パイプ４３を矢印Ｒ方向に回転すると、排紙扉ヒンジ３８にアクセスできるようになる。このときに、パイプ４３の凹部４３ｍが第２固定穴５６の位置まで移動されて、固定部材５４の第２固定穴５６にビス９０が締結され、パイプ４３が固定される。そして、メンテナンス中に、パイプ４３を取外すことなく、作業可能となる。排紙扉ヒンジ３８は、回収容器４０に対向する装置本体１００Ａの側面から取り出し可能に設けられ、パイプ４３の回動中心軸線方向からみたときに、第１位置に位置するパイプ４３と重なる位置に設けられ、第２位置に位置するパイプ４３とは重ならない位置に設けられる部材である。